(57)【特許請求の範囲】
【請求項１】
光学素子を有してスライド移動する光学部品及びこの光学部品に対する固定側部材に対して、適用される光学部品のクリック機構であって、
前記光学部品又は前記固定側部材の何れか一方に、前記光学素子のスライド移動方向位置決め用のクリック溝を設けると共に、
前記光学部品又は前記固定側部材の他方に、前記光学部品のスライド移動に従って前記クリック溝に係合するクリック体を設け、
前記クリック溝に嵌め込まれて装着され、当該クリック溝に対して前記クリック体が係合する際の衝撃を所定に緩和するように奥行き厚みが設定される衝撃緩和部材を備えることを特徴する光学部品のクリック機構。
【請求項２】
前記光学部品に前記クリック溝が設けられると共に、前記固定側部材に前記クリック体が設けられ、
当該クリック体は、前記光学部品に対して付勢されて接触していることを特徴とする請求項１記載の光学部品のクリック機構。
【請求項３】
前記クリック溝及び前記衝撃緩和部材は、溝開放側のスライド移動方向幅より大きいスライド移動方向幅の奥行き部分を備えることを特徴とする請求項１または２記載の光学部品のクリック機構。
【発明の詳細な説明】
【０００１】
【発明の属する技術分野】
本発明は、光学素子を有してスライド移動する光学部品のクリック機構に関する。
【０００２】
【従来の技術】
光学素子としての例えばレンズやフィルタ等をスライド移動して切り換える際や、レンズをスライド移動して被写物を拡大縮小する際に、これらの光学素子をスライド移動方向に機械的に正確に位置決めするクリック機構が知られている。
【０００３】
このクリック機構は、具体的には、例えば、上記光学素子を有しスライド移動可能な光学部品に設けられるクリック溝と、この光学部品に対して付勢されて接触し当該光学部品のスライド移動に従ってクリック溝に係合するクリック体と、を備え、このクリック体がクリック溝にクリック係合することで、光学部品をスライド移動方向の所定位置に正確に位置決めする。
【０００４】
【発明が解決しようとする課題】
しかしながら、上記クリック機構では、クリック係合時に衝撃による振動が発生する。ここで、上記光学素子を有する機器にあっては、振動を嫌うものがあり、クリック係合時の除振が望まれている。
【０００５】
本発明は、このような課題を解決するためになされたものであり、光学素子を有する光学部品をスライド移動方向に正確に位置決めしつつ、クリック係合時の除振を可能とする光学部品のクリック機構を提供することを目的とする。
【０００６】
【課題を解決するための手段】
本発明による光学部品のクリック機構は、光学素子を有してスライド移動する光学部品及びこの光学部品に対する固定側部材に対して、適用される光学部品のクリック機構であって、光学部品又は固定側部材の何れか一方に、光学素子のスライド移動方向位置決め用のクリック溝を設けると共に、光学部品又は固定側部材の他方に、光学部品のスライド移動に従ってクリック溝に係合するクリック体を設け、クリック溝に嵌め込まれて装着され、当該クリック溝に対してクリック体が係合する際の衝撃を所定に緩和するように奥行き厚みが設定される衝撃緩和部材を備えることを特徴としている。
【０００７】
このように構成された光学部品のクリック機構によれば、クリック溝とクリック体とのクリック係合という精度の高いスライド移動方向の機械的な位置決めが実施されつつ、このクリック係合時に生じようとする衝撃が、クリック溝に嵌め込まれて装着され所定の奥行き厚みに設定されている衝撃緩和部材により緩和されるようになる。
【０００８】
ここで、上記構成の具体例としては、光学部品にクリック溝が設けられると共に、固定側部材にクリック体が設けられ、当該クリック体は、光学部品に対して付勢されて接触している構成が挙げられる。これにより、クリック機構が簡易に構成される。
【０００９】
また、クリック溝及び衝撃緩和部材は、溝開放側のスライド移動方向幅より大きいスライド移動方向幅の奥行き部分を備えていると、衝撃緩和部材をクリック溝に嵌め込んで例えば接着剤等で接着することなく装着するだけで、光学部品のスライド移動時、特に衝撃緩和部材がクリック体によりスライド移動方向に擦られる時に、当該衝撃緩和部材がクリック溝から抜け出すことが防止される。
【００１０】
【発明の実施の形態】
以下、本発明に係る光学部品のクリック機構の好適な実施形態について添付図面を参照しながら説明する。図１は、本発明の第１実施形態による光学部品のクリック機構の概要及び作用を示す平面図であって、（ａ）はクリック体がクリック溝に係合する前の状態を示す平面図、（ｂ）はクリック体がクリック溝に係合した状態を示す平面図である。
【００１１】
この第１実施形態では、複数のレンズ（光学素子；不図示）を備えるレンズ保持体（光学部品）３が、図示左右方向にスライド移動することで、レンズの切り換えを実施する機器を対象としている。このレンズ保持体３は、例えば矩形平板状を成し、駆動源の駆動に従ってスライド移動するが、手動によるスライド移動に対して適用することも可能である。
【００１２】
レンズ保持体３をスライド移動方向の所定位置に位置決めするクリック機構８は、各々のレンズに対応して形成されレンズ保持体３の側面（図示上方）のスライド移動方向に沿って各々が所定距離離間して配設されるクリック溝９（図では１個のみ図示）と、このレンズ保持体３の側面に対して付勢されて接触し当該レンズ保持体３のスライド移動に従って各クリック溝９に係合するクリック体１０と、を備えている。
【００１３】
クリック体１０は、ベアリング（円筒体）で構成され、レンズ保持体３に対する固定側部材４に設けられている。この固定側部材４は、クリック体１０を回転自在に支承する支持軸１２と、この支持軸１２を支持する板ばね１３と、この板ばね１３が取り付けられる板ばね取付金具１４と、を備え、板ばね１３の付勢力でクリック体１０を常時レンズ保持体３の側面に接触させている。そして、レンズ保持体３は、クリック溝９の開放側エッジ部分間に、図１（ｂ）に示すように、クリック体１０の外周面の一部が嵌まるクリック係合をすることでスライド移動方向に位置決めされ、所望のレンズが選択される。
【００１４】
これらのレンズ保持体３及びクリック体１０は、上記クリック係合による位置決めを高精度とすべく、金属で構成されている。なお、レンズ保持体３及びクリック体１０の全体を金属で構成せず、クリック溝９及びクリック体１０の外周面のみを金属で構成しても良い。また、位置決めを高精度に成し得れば、金属以外の硬質材より構成しても良い。
【００１５】
ここで、特に、本実施形態においては、上記クリック溝９は、その軸心が支持軸１２の軸心と平行を成し周縁の一部が外方に開放される略円柱形状の溝形状に構成され、このクリック溝９に、ゴムより成る円柱形状の衝撃緩和部材１１が嵌め込まれて装着されている。
【００１６】
この衝撃緩和部材１１及びこの衝撃緩和部材１１が嵌め込まれるクリック溝９の奥行き厚み（スライド移動方向に直交する方向の厚み；図示上下方向の厚み）は、クリック係合時の衝撃を衝撃緩和部材１１が所定に緩和する厚みに設定されている。
【００１７】
このように構成されたクリック機構８によれば、所望のレンズを選択すべくレンズ保持体３がスライド移動されると、クリック体１０は、レンズ保持体３の側面に接触しながら回転する。
【００１８】
そして、レンズ保持体３のスライド移動に従って、クリック溝９がクリック体１０に至ると、図１（ａ）に示すように、クリック体１０が、クリック溝９の開放側エッジ部分間に嵌まる前（クリック体１０がクリック溝９のスライド移動方向遠側の開放側エッジＡに衝突する前）に、衝撃緩和部材１１に接触し、この衝撃緩和部材１１を奥行き方向に潰しながらクリック溝９の開放側エッジ部分間に嵌まることになる（図１（ｂ）参照）。
【００１９】
このため、クリック係合時の衝撃が緩和され、振動の発生が抑止される。また、この時、クリック溝９及びクリック体１０は両方とも金属で構成されているため、機械的で精度の高いクリック係合によるスライド移動方向の位置決めが一層高精度に成される。
【００２０】
ここで、クリック溝を従来技術と同じ奥行き厚み（本実施形態より短い奥行き厚み）とすると、これに嵌め込まれて装着される衝撃緩和部材の潰れ代が少ないため、クリック係合時の衝撃が十分に緩和されず、振動の発生が十分に抑制されないが、本実施形態では、クリック係合時の衝撃を所定に緩和するように奥行き厚みが設定されている衝撃緩和部材１１をクリック溝９に嵌め込み装着しているため、クリック係合という精度の高い機械的な位置決めが実施されつつ、クリック係合時に生じようとする衝撃が所定に緩和されている。このため、レンズ保持体３（選択されたレンズ）をスライド移動方向に正確に位置決めしつつ、クリック係合時の除振が可能とされている。
【００２１】
また、クリック溝９及び衝撃緩和部材１１が、略円柱形状とされているため、衝撃緩和部材１１をクリック溝９に嵌め込んで例えば接着剤等で接着することなく装着するだけで、レンズ保持体３のスライド移動時、特に衝撃緩和部材１１がクリック体１０によりスライド移動方向に擦られる時に、当該衝撃緩和部材１１がクリック溝９から抜け出すことが防止されている。このため、クリック機構８の組立が容易とされ、製造コストの低減が図られている。
【００２２】
なお、衝撃緩和部材のクリック溝からの抜け出しを防止する構成は、略円柱形状に限定されるものではなく、衝撃緩和部材及びクリック溝が、溝開放側のスライド移動方向幅より大きいスライド移動方向幅の奥行き部分を備える構成であれば良い。
【００２３】
図２は、本発明の第２実施形態による光学部品のクリック機構の概要及び作用を示す平面図である。この第２実施形態では、複数のフィルタ（光学素子）２０ａ，２０ｂを備え、例えば矩形平板状を成すフィルタ保持体（光学部品）２３が、図示左右方向にスライド移動することで、フィルタ２０ａ，２０ｂの切り換えを実施する機器を対象としている。
【００２４】
そして、この第２実施形態のクリック機構２８が先の第１実施形態のクリック機構８と違う点は、ベアリングで構成されるクリック体１０、支持軸１２及び板ばね１３に代えて、ボールプランジャ２４を用いた点である。このボールプランジャ２４は、そのボール部分２４ａをクリック体として、常時フィルタ保持体２３の側面に接触するように付勢する構成とされている。また、このボールプランジャ２４は、固定側部材としてのボールプランジャ取付金具（不図示）に取り付けられている。なお、クリック溝９及び衝撃緩和部材１１の構成は第１実施形態と同様であり、クリック溝９は、各フィルタ２０ａ，２０ｂに対応して形成されている。
【００２５】
このように構成しても、フィルタ保持体２３（選択されたフィルタ）をスライド移動方向に正確に位置決めしつつ、クリック係合時の除振が可能である。
【００２６】
なお、第１、第２実施形態において、クリック溝及び衝撃緩和部材は略円柱形状に限定されるものではなく、略円柱形状のクリック溝９及び衝撃緩和部材１１に代えて、例えば略四角柱形状のクリック溝及び衝撃緩和部材を用いることも可能である。但し、この場合には、形状が略四角柱で衝撃緩和部材の抜け出しの虞があるため、例えば接着剤等でクリック溝に対して固着するのが好ましい。このように形状が略四角柱の場合も、衝撃緩和部材及びクリック溝の奥行き厚みは、上記と同様に、クリック係合時の衝撃を衝撃緩和部材が所定に緩和する厚みに設定する必要がある。
【００２７】
図３は、本発明の第３実施形態による光学部品のクリック機構の概要及び作用を示す図であって、（ａ）は縦断面図、（ｂ）は側面図である。この第３実施形態では、レンズ３０を備える円筒状の鏡筒（光学部品）３３が、図示左右方向にスライド移動することで、被写物を拡大縮小する機器を対象としている。
【００２８】
そして、この第３実施形態のクリック機構３８が先の第２実施形態のクリック機構２８と違う点は、クリック溝９に代えて、所定の拡大若しくは縮小位置に対応して形成され鏡筒３３の外周面のスライド移動方向に沿って各々が所定距離離間して配設される円環状のクリック溝３９を設け、略円柱形状の衝撃緩和部材１１に代えて、クリック溝３９に嵌め込まれて装着される円環状のゴムより成る衝撃緩和部材３１を設けた点であり、ボールプランジャ２４を用いている点は第２実施形態と同様である。
【００２９】
このように構成しても、鏡筒３３（レンズ）をスライド移動方向に正確に位置決めしつつ、クリック係合時の除振が可能であるというのはいうまでもない。
【００３０】
以上、本発明をその実施形態に基づき具体的に説明したが、本発明は上記実施形態に限定されるものではなく、例えば、上記実施形態においては、衝撃緩和部材１１，３１をゴムとしているが、樹脂等であっても良く、クッション効果があれば良い。
【００３１】
また、上記実施形態においては、スライド移動する光学部品にクリック溝を設けると共に、この光学部品に対する固定側部材にクリック体を設け、当該クリック体を光学部品に対し付勢して接触させる構成とすることで、クリック機構の構成を簡易として低コスト化を図っているが、光学部品にクリック体を設け、固定側部材にクリック溝を設けるようにしても良い。また、付勢するのは、クリック体に限定されるものではなく、クリック溝を有する部材を付勢することも可能である。
【００３２】
さらに、スライド移動は直線運動に限定されるものではなく、曲線運動に対しても適用可能である。
【００３３】
【発明の効果】
本発明による光学部品のクリック機構は、光学素子を有する光学部品又は固定側部材の何れか一方に、光学素子のスライド移動方向位置決め用のクリック溝を設けると共に、光学部品又は固定側部材の他方に、光学部品のスライド移動に従ってクリック溝に係合するクリック体を設け、さらに、クリック溝に衝撃緩和部材を嵌め込んで装着し、この衝撃緩和部材の奥行き厚みを、クリック溝に対してクリック体がクリック係合する際の衝撃を所定に緩和する厚みに設定しているため、クリック係合という精度の高い機械的な位置決めが実施されつつ、このクリック係合時に生じようとする衝撃が所定に緩和される。このため、光学素子を有する光学部品をスライド移動方向に正確に位置決めしつつ、クリック係合時の除振が可能となる。
【図面の簡単な説明】
【図１】本発明の第１実施形態による光学部品のクリック機構の概要及び作用を示す平面図であり、（ａ）はクリック体がクリック溝に係合する前の状態を示す平面図、（ｂ）はクリック体がクリック溝に係合した状態を示す平面図である。
【図２】本発明の第２実施形態による光学部品のクリック機構の概要及び作用を示す平面図である。
【図３】本発明の第３実施形態による光学部品のクリック機構の概要及び作用を示す図であり、（ａ）は縦断面図、（ｂ）は側面図である。
【符号の説明】
３…レンズ保持体（光学部品）、４…固定側部材、８，２８，３８…クリック機構、９，３９…クリック溝、１０，２４ａ…クリック体、１１，３１…衝撃緩和部材、１３…板ばね、２０ａ，２０ｂ…フィルタ（光学素子）、２３…フィルタ保持体（光学部品）、２４…ボールプランジャ、３０…レンズ（光学素子）、３３…鏡筒（光学部品）。
【図１】
0004560225.tif 000002
【図２】
0004560225.tif 000003
【図３】
0004560225.tif 000004